(57)【要約】  プラズマディスプレイ装置は、プラズマディスプレイパネル（ＰＤＰ）と、第１駆動回路と、第１フレキシブルケーブルとを有している。ＰＤＰは、第１方向に延在する複数の第１および第２電極が設けられた第１基板と、放電空間を介して第１基板に対向する第２基板とを有している。なお、第１駆動回路は、第１電極に電圧を印加する回路である。また、第１フレキシブルケーブルは、一端がプラズマディスプレイパネルの外周部で第１電極に接続され、第１フレキシブルケーブルを折り返すことなく、他端がプラズマディスプレイの外周より内側で第１駆動回路に接続されている。この結果、ＰＤＰと駆動回路との間の断線を防止しでき、ＰＤＰ装置の信頼性を向上できる。
2009130742.tif 000002
【特許請求の範囲】
【請求項１】
第１方向に延在する複数の第１および第２電極が設けられた第１基板と、放電空間を介して前記第１基板に対向する第２基板とを有するプラズマディスプレイパネルと、
前記第１電極に電圧を印加する第１駆動回路と、
一端が前記プラズマディスプレイパネルの外周部で前記第１電極に接続された第１フレキシブルケーブルとを備え、
前記第１フレキシブルケーブルの他端は、前記第１フレキシブルケーブルを折り返すことなく、前記プラズマディスプレイの外周より内側で前記第１駆動回路に接続されていることを特徴とするプラズマディスプレイ装置。
【請求項２】
請求項１記載のプラズマディスプレイ装置において、
前記第２電極に圧を印加する第２駆動回路と、
一端が前記プラズマディスプレイパネルの外周部で前記第２電極に接続された第２フレキシブルケーブルとを備え、
前記第２フレキシブルケーブルの他端は、前記第２フレキシブルケーブルを折り返すことなく、前記プラズマディスプレイの外周より内側で前記第２駆動回路に接続されていることを特徴とするプラズマディスプレイ装置。
【請求項３】
請求項１記載のプラズマディスプレイ装置において、
前記第１方向と交差する第２方向に延在して前記第１基板に設けられた複数の第３電極と、
前記第３電極に電圧を印加する第３駆動回路と、
一端が前記プラズマディスプレイパネルの外周部で前記第３電極に接続された第３フレキシブルケーブルとを備え、
前記第３フレキシブルケーブルの他端は、前記第３フレキシブルケーブルを折り返すことなく、前記プラズマディスプレイの外周より内側で前記第３駆動回路に接続されていることを特徴とするプラズマディスプレイ装置。
【請求項４】
請求項１記載のプラズマディスプレイ装置において、
前記第１駆動回路と前記第１フレキシブルケーブルとが一体に設けられたフレキシブルプリント基板を備えていることを特徴とするプラズマディスプレイ装置。
【発明の詳細な説明】
【技術分野】
【０００１】
本発明は、プラズマディスプレイ装置に関する。
【背景技術】
【０００２】
プラズマディスプレイ装置（ＰＤＰ装置）は、プラズマディスプレイパネル（ＰＤＰ）とＰＤＰを駆動する駆動部を有している。ＰＤＰは、２枚のガラス基板（前面ガラス基板および背面ガラス基板）を互いに貼り合わせて構成されており、ガラス基板の間に形成される空間（放電空間）に放電を発生させることで画像を表示する。画像における画素に対応するセルは、自発光型であり、放電により発生する紫外線を受けて赤、緑、青の可視光を発生する蛍光体が塗布されている。【０００３】
例えば、３電極構造のＰＤＰは、Ｘ電極およびＹ電極間でサステイン放電を発生させることで、画像を表示する。サステイン放電を発生させるセル（点灯させるセル）は、例えば、Ｙ電極およびアドレス電極間で選択的にアドレス放電を発生させることにより、選択される。【０００４】
また、駆動部は、Ｘ電極、Ｙ電極およびアドレス電極に電圧をそれぞれ印加する駆動回路を有している。この種のＰＤＰ装置では、駆動回路は、フレキシブル基板（フレキシブルケーブル）により、各電極に接続されている（例えば、特許文献１参照）。一般的に、駆動回路は、ＰＤＰの背面側に配置されている。このため、ＰＤＰの外周部からから外側に延在するフレキシブルケーブルは、Ｕ字状に折り返されて、駆動回路に接続されている。
【特許文献１】特開２００６−３０１３１７号公報
【発明の開示】
【発明が解決しようとする課題】
【０００５】
フレキシブルケーブルが折り返された構成では、フレキシブルケーブルの元の形状に戻る力により、電極とフレキシブルケーブルとの接続部で、接続状態が不安定（非接続状態、断線）になるおそれがある。すなわち、この種のＰＤＰ装置では、ＰＤＰと駆動回路との間で断線するおそれがある。また、フレキシブルケーブル自体が断線することを防止するために、フレキシブルケーブルを緩やかに曲げるためのスペースを確保する必要がある。このため、ＰＤＰに対するＰＤＰ装置のサイズ（厚さ、幅等）が大きくなり、製造コストが増加する。【０００６】
本発明の目的は、ＰＤＰと駆動回路との間の断線を防止し、ＰＤＰ装置の信頼性を向上させることである。また、本発明の目的は、薄型のＰＤＰ装置を提供することである。
【課題を解決するための手段】
【０００７】
プラズマディスプレイ装置は、プラズマディスプレイパネル（ＰＤＰ）と、第１駆動回路と、第１フレキシブルケーブルとを有している。ＰＤＰは、第１方向に延在する複数の第１および第２電極が設けられた第１基板と、放電空間を介して第１基板に対向する第２基板とを有している。なお、第１駆動回路は、第１電極に電圧を印加する回路である。また、第１フレキシブルケーブルは、一端がプラズマディスプレイパネルの外周部で第１電極に接続され、第１フレキシブルケーブルを折り返すことなく、他端がプラズマディスプレイの外周より内側で第１駆動回路に接続されている。
【発明の効果】
【０００８】
本発明では、ＰＤＰと駆動回路との間の断線を防止でき、ＰＤＰ装置の信頼性を向上できる。また、本発明では、薄型のＰＤＰ装置を提供できる。
【図面の簡単な説明】
【０００９】
【図１】一実施形態におけるＰＤＰ装置を示す図である。
【図２】図１に示したＰＤＰの要部を示す図である。
【図３】図１に示した回路部の概要を示す図である。
【図４】画像表示面と反対側から見たフレキシブルケーブルの状態の一例を示す図である。
【図５】図４に示したアドレスドライバが配置された側と反対側の方向から見た第１方向に沿うＰＤＰ装置の側面の概要を示す図である。
【図６】図４に示したＹドライバが配置された側から見た第２方向に沿うＰＤＰ装置の側面の概要を示す図である。
【図７】図５に示したＹ電極用フレキシブルケーブルとＹ電極との接続部周辺の第１方向に沿う断面の一例を示す図である。
【図８】図２に示したＰＤＰの変形例の一例を示す図である。
【図９】図８に示したＰＤＰを用いたＰＤＰ装置における第２方向に沿う側面の概要を示す図である。
【発明を実施するための最良の形態】
【００１０】
以下、本発明の実施形態を図面を用いて説明する。【００１１】
図１は、本発明の一実施形態を示している。プラズマディスプレイ装置（以下、ＰＤＰ装置とも称する）は、四角板形状を有するプラズマディスプレイパネル１０（以下、ＰＤＰとも称する）、ＰＤＰ１０の画像表示面１６側（光の出力側）に設けられる光学フィルタ２０、ＰＤＰ１０の画像表示面１６側に配置された前筐体３０、ＰＤＰ１０の背面１８側に配置された後筐体４０およびベースシャーシ５０、ベースシャーシ５０の後筐体４０側に取り付けられ、ＰＤＰ１０を駆動するための回路部６０、およびＰＤＰ１０をベースシャーシ５０に貼り付けるための両面接着シート７０を有している。回路部６０は、複数の部品で構成されるため、図では、破線の箱で示している。なお、回路部６０は、図示しないフレキシブルケーブル（例えば、後述する図４に示すフレキシブルケーブルＸＦＣ、ＹＦＣ、ＡＦＣ）により、ＰＤＰ１０に電気的に接続されている。【００１２】
ＰＤＰ１０は、画像表示面１６を構成する前面基板部１２（第１基板）と、前面基板部１２に対向する背面基板部１４（第２基板）とにより構成されている。前面基板部１２と背面基板部１４の間に図示しない放電空間（セル）が形成されている。前面基板部１２および背面基板部１４は、例えば、ガラス基板により形成されている。光学フィルタ２０は、前筐体３０の開口部３２に取り付けられる保護ガラス（図示せず）に貼付される。なお、光学フィルタ２０は、電磁波を遮蔽する機能を有してもよい。また、光学フィルタ２０は、保護ガラスではなく、ＰＤＰ１０の画像表示面１６側に直接貼付されてもよい。【００１３】
図２は、図１に示したＰＤＰ１０の要部の詳細を示している。図中の矢印Ｄ１は、第１方向Ｄ１を示し、矢印Ｄ２は、第１方向Ｄ１に画像表示面に平行な面内で直交する第２方向Ｄ２を示している。上述したように、前面基板部１２と背面基板部１４の間（より詳細には、背面基板部１４の凹部）に放電空間ＤＳが形成される。【００１４】
前面基板部１２は、ガラス基材ＦＳのガラス基材ＲＳに対向する面上（図では下側）に第１方向Ｄ１に延在して設けられ、互いに間隔を置いて配置された複数のＸバス電極ＸｂおよびＹバス電極Ｙｂを有している。また、Ｘバス電極Ｘｂには、Ｘバス電極ＸｂからＹバス電極Ｙｂに向けて第２方向Ｄ２に延在するＸ透明電極Ｘｔが接続されている。Ｙバス電極Ｙｂには、Ｙバス電極ＹｂからＸバス電極Ｘｂに向けて第２方向Ｄ２に延在するＹ透明電極Ｙｔが接続されている。図の例では、Ｘ透明電極ＸｔおよびＹ透明電極Ｙｔは、第２方向Ｄ２に沿って対向している。【００１５】
例えば、Ｘバス電極ＸｂおよびＹバス電極Ｙｂは、金属材料等で形成された不透明な電極であり、Ｘ透明電極ＸｔおよびＹ透明電極Ｙｔは、ＩＴＯ膜等で形成された可視光を透過する透明電極である。そして、Ｘ電極ＸＥ（第２電極（または、第１電極）、維持電極）は、Ｘバス電極ＸｂおよびＸ透明電極Ｘｔにより構成され、Ｙ電極ＹＥ（第１電極（または、第２電極）、走査電極）は、Ｙバス電極ＹｂおよびＹ透明電極Ｙｔにより構成され、Ｘ電極ＸＥと対をなしている。そして、互いに対をなすＸ電極ＸＥおよびＹ電極ＹＥ間（より具体的には、Ｘ透明電極ＸｔおよびＹ透明電極Ｙｔ間）で繰り返して放電（サステイン放電）を発生させる。【００１６】
なお、透明電極ＸｔおよびＹｔは、それぞれが接続されるバス電極ＸｂおよびＹｂとガラス基材ＦＳとの間に全面に配置されてもよい。また、バス電極ＸｂおよびＹｂと同じ材料（金属材料等）で、バス電極ＸｂおよびＹｂと一体の電極が透明電極ＸｔおよびＹｔの代わりに形成されてもよい。【００１７】
電極Ｘｂ、Ｘｔ、Ｙｂ、Ｙｔは、誘電体層ＤＬに覆われている。例えば、誘電体層ＤＬは、ＣＶＤ法により形成された二酸化シリコン膜等の絶縁膜である。そして、誘電体層ＤＬ上（図では下側）には、バス電極Ｘｂ、Ｙｂの直交方向（第２方向Ｄ２）に延在する複数のアドレス電極ＡＥ（第３電極）が設けられている。このように、この実施形態のＰＤＰは、第１方向Ｄ１に延在する電極ＸＥ、ＹＥと第２方向Ｄ２に延在するアドレス電極ＡＥとが前面基板部１２に設けられている。【００１８】
アドレス電極ＡＥおよび誘電体層ＤＬは、保護層ＰＬに覆われている。例えば、保護層ＰＬは、放電を容易に発生させるために、陽イオンの衝突による２次電子の放出特性の高いＭｇＯ膜で形成される。【００１９】
放電空間ＤＳを介して前面基板部１２に対向する背面基板部１４は、ガラス基材ＲＳ上に互いに平行に形成され、バス電極Ｘｂ、Ｙｂに直交する方向（第２方向Ｄ２）に延在する隔壁（バリアリブ）ＢＲを有している。すなわち、隔壁ＢＲは、ガラス基材ＲＳのガラス基材ＦＳに対向する面上に設けられ、第１方向Ｄ１と交差する第２方向Ｄ２に延在し、間隔を置いて配置されている。隔壁ＢＲにより、セルの側壁が構成される。さらに、隔壁ＢＲの側面と、互いに隣接する隔壁ＢＲの間のガラス基材ＲＳ上とには、紫外線により励起されて赤（Ｒ）、緑（Ｇ）、青（Ｂ）の可視光を発生する蛍光体ＰＨｒ、ＰＨｇ、ＰＨｂが、それぞれ塗布されている。【００２０】
ＰＤＰ１０の１つの画素は、赤、緑および青の光を発生する３つのセルにより構成される。ここで、１つのセル（一色の画素）は、バス電極Ｘｂ、Ｙｂと隔壁ＢＲとで囲われる領域に形成される。このように、ＰＤＰ１０は、画像を表示するためにセルをマトリックス状に配置し、かつ互いに異なる色の光を発生する複数種のセルを交互に配列して構成されている。特に図示していないが、バス電極Ｘｂ、Ｙｂに沿って形成されたセルにより、表示ラインが構成される。【００２１】
ＰＤＰ１０は、前面基板部１２および背面基板部１４を、保護層ＰＬと隔壁ＢＲが互いに接するように貼り合わせ、Ｎｅ、Ｘｅ等の放電ガスを放電空間ＤＳに封入することで構成される。【００２２】
図３は、図１に示した回路部６０の概要を示している。回路部６０は、制御部ＣＮＴ、ＸドライバＸＤＲＶ（第２駆動回路（または、第１駆動回路））、ＹドライバＹＤＲＶ（第１駆動回路（または、第２駆動回路））、アドレスドライバＡＤＲＶ（第３駆動回路）および電源部ＰＷＲを有している。電源部ＰＷＲは、ドライバＹＤＲＶ、ＸＤＲＶ、ＡＤＲＶに供給する電源電圧−Ｖｓｃ、Ｖｓ／２、−Ｖｓ／２、Ｖｓａ等を生成する。【００２３】
制御部ＣＮＴは、ドライバＸＤＲＶ、ＹＤＲＶ、ＡＤＲＶの動作を制御する。例えば、制御部ＣＮＴは、画像データＲ０−７、Ｇ０−７、Ｂ０−７に基づいて使用するサブフィールドを選択し、ドライバＹＤＲＶ、ＸＤＲＶ、ＡＤＲＶに制御信号ＹＣＮＴ、ＸＣＮＴ、ＡＣＮＴを出力する。ここで、サブフィールドは、ＰＤＰ１０の１画面を表示するための１フィールドが分割されたフィールドであり、サブフィールド毎にサステイン放電の回数が設定されている。そして、画素を構成するセル毎に、使用するサブフィールドを選択することにより、多階調の画像が表示される。例えば、サブフィールドは、点灯させるセル（サステイン放電を発生させるセル）を選択するアドレス期間およびアドレス期間に選択されたセルでサステイン放電を発生させるサステイン期間等を含んで構成される。【００２４】
この実施形態では、ドライバＸＤＲＶ、ＹＤＲＶ、ＡＤＲＶは、後述する図４に示すフレキシブルケーブルＸＦＣ、ＹＦＣ、ＡＦＣにより、電極ＸＥ、ＹＥ、ＡＥにそれぞれ電気的に接続されている。そして、ドライバＸＤＲＶ、ＹＤＲＶ、ＡＤＲＶは、ＰＤＰ１０を駆動する駆動部として動作する。【００２５】
例えば、ＸドライバＸＤＲＶは、サステイン期間に、電圧−Ｖｓ／２、Ｖｓ／２（負および正のサステインパルス）をＸ電極ＸＥに交互に印加する。また、ＹドライバＹＤＲＶは、サステイン期間では、Ｘ電極ＸＥに印加される電圧と異なる極性の電圧Ｖｓ／２、−Ｖｓ／２（正および負のサステインパルス）をＹ電極ＹＥに交互に印加し、アドレス期間では、電圧−Ｖｓｃ（スキャンパルス）をＹ電極ＹＥに選択的に印加する。アドレスドライバＡＤＲＶは、アドレス期間に、アドレス電極ＡＥに選択的に電圧Ｖｓａ（アドレスパルス）を印加する。【００２６】
スキャンパルスとアドレスパルスにより選択されたセルは、Ｙ電極ＹＥとアドレス電極ＡＥ間で一時的に放電（アドレス放電）が発生する。これにより、アドレス期間では、サステイン期間に点灯させるセルが選択される。また、サステイン期間では、互いに極性の異なるサステインパルスが、Ｘ電極ＸＥおよびＹ電極ＹＥに繰り返して印加されることにより、サステイン期間に点灯したセルの放電（サステイン放電）が繰り返し行われる。【００２７】
図４は、画像表示面と反対側（図１の下側）から見たフレキシブルケーブルＸＦＣ、ＹＦＣ、ＡＦＣの状態の一例を示している。図中の矢印の意味は、上述した図２と同じである。なお、図４は、上述した図１に示した光学フィルタ２０、前筐体３０、後筐体４０等の記載を省略している。ここで、例えば、Ｙ電極用フレキシブルケーブルＹＦＣ（第１（または、第２）フレキシブルケーブル）、Ｘ電極用フレキシブルケーブルＸＦＣ（第２（または、第１）フレキシブルケーブル））およびアドレス電極用フレキシブルケーブルＡＦＣ（第３フレキシブルケーブル）は、ベースフィルム上に金属材料の配線が形成され、他の部品等に接続される接続部以外の配線部分に保護フィルムが被せられた変形可能な配線である。【００２８】
回路部６０は、背面基板部１４の縁部より内側で、ベースシャーシ５０の背面側（上述した図１に示した後筐体４０側）に取り付けられ、背面基板部１４の縁部は、前面基板部１２の縁部より内側に位置している。そして、例えば、Ｙ電極ＹＥは、前面基板部１２の第２方向Ｄ２に沿う縁部付近（図４では、左側の外周部ＯＴ）まで引き出され、Ｘ電極ＸＥは、前面基板部１２のＹ電極ＹＥが引き出された縁部と反対側の縁部付近（図４では、右側の外周部ＯＴ）まで引き出されている。また、アドレス電極ＡＥは、前面基板部１２の第１方向Ｄ１に沿う縁部付近（図４では、下側の外周部ＯＴ）まで引き出されている。【００２９】
そして、上述した図１で説明したように、Ｙ電極用フレキシブルケーブルＹＦＣ、Ｘ電極用フレキシブルケーブルＸＦＣおよびアドレス電極用フレキシブルケーブルＡＦＣは、回路部６０とＰＤＰ１０とを電気的に接続している。例えば、フレキシブルケーブルＸＦＣ、ＹＦＣ、ＡＦＣの一端は、ＰＤＰ１０の外周部ＯＴで、電極ＸＥ、ＹＥ、ＡＥにそれぞれ接続され、フレキシブルケーブルＸＦＣ、ＹＦＣ、ＡＦＣの他端は、ＰＤＰ１０の外周より内側で、ドライバＸＤＲＶ、ＹＤＲＶ、ＡＤＲＶにそれぞれ接続されている。【００３０】
図５は、図４に示したアドレスドライバＡＤＲＶが配置された側と反対側の方向から見た第１方向Ｄ１に沿うＰＤＰ装置の側面の概要を示している。図中の矢印の意味は、上述した図２と同じである。なお、図４は、上述した図１に示した光学フィルタ２０、前筐体３０、後筐体４０等の記載を省略している。【００３１】
前面基板部１２の縁部付近まで引き出されたＹ電極ＹＥの端部である接続部ＹＣＴ１は、Ｙ電極用フレキシブルケーブルＹＦＣの一端に設けられた接続部ＹＣＴ２に接続されている。そして、Ｙ電極用フレキシブルケーブルＹＦＣの他端に設けられた接続部ＹＣＴ３は、Ｙ電極用フレキシブルケーブルＹＦＣを折り返すことなく、ＰＤＰ１０の外周より内側でＹドライバＹＤＲＶに接続されている。すなわち、Ｙ電極用フレキシブルケーブルＹＦＣは、接続部ＹＣＴ２が設けられる端部を外側に向けて配置され、かつ、接続部ＹＣＴ２からＰＤＰ１０の内側に設けられたＹドライバＹＤＲＶまで、ＰＤＰ１０の外側（接続部ＹＣＴ１と接続部ＹＣＴ２との接続部の外側）でＵ字状に折り返されることなく延在して設けられている。【００３２】
この実施形態では、Ｙ電極用フレキシブルケーブルＹＦＣがＵ字状に折り返されないため、接続部ＹＣＴ１と接続部ＹＣＴ２とが互いに離れる方向に働く力を小さくでき、接続部ＹＣＴ１と接続部ＹＣＴ２との接続が不安定（非接続状態）になることを防止できる。また、この実施形態では、Ｙ電極用フレキシブルケーブルＹＦＣがＵ字状に折り返されないため、Ｙ電極用フレキシブルケーブルＹＦＣの断線を防止できる。すなわち、この実施形態では、Ｙ電極ＹＥの接続部ＹＣＴ１とＹドライバＹＤＲＶとの間の断線を防止でき、ＰＤＰ装置の信頼性を向上できる。【００３３】
前面基板部１２の縁部付近まで引き出されたＸ電極ＸＥの端部である接続部ＸＣＴ１は、Ｘ電極用フレキシブルケーブルＸＦＣの一端に設けられた接続部ＸＣＴ２に接続されている。また、Ｘ電極用フレキシブルケーブルＸＦＣの他端に設けられた接続部ＸＣＴ３は、Ｘ電極用フレキシブルケーブルＸＦＣを折り返すことなく、ＰＤＰ１０の外周より内側でＸドライバＸＤＲＶに接続されている。【００３４】
この実施形態では、Ｘ電極用フレキシブルケーブルＸＦＣがＵ字状に折り返されないため、接続部ＸＣＴ１と接続部ＸＣＴ２とが互いに離れる方向に働く力を小さくでき、接続部ＸＣＴ１と接続部ＸＣＴ２との接続が不安定（非接続状態）になることを防止できる。また、この実施形態では、Ｘ電極用フレキシブルケーブルＸＦＣがＵ字状に折り返されないため、Ｘ電極用フレキシブルケーブルＸＦＣの断線を防止できる。すなわち、この実施形態では、Ｘ電極ＸＥの接続部ＸＣＴ１とＸドライバＸＤＲＶとの間の断線を防止でき、ＰＤＰ装置の信頼性を向上できる。【００３５】
また、ＰＤＰ装置の大きさに着目した場合、この実施形態では、フレキシブルケーブルＸＦＣ、ＹＦＣをＵ字状に折り返すための厚さを確保する必要がないため、ＰＤＰ装置の第２方向Ｄ２に沿う縁部周辺の厚さを薄くできる。さらに、この実施形態では、フレキシブルケーブルＸＦＣ、ＹＦＣをＵ字状に折り返すためのスペースをＰＤＰ１０の外側に確保する必要がないため、ＰＤＰ装置のサイズ（例えば、ＰＤＰ装置の第１方向Ｄ１のサイズ）を小さくできる。すなわち、この実施形態では、ＰＤＰ装置のサイズを小さくできるため、上述した図１に示した筐体３０、４０等の製造コストを低減できる。【００３６】
なお、ドライバＸＤＲＶ、ＹＤＲＶは、背面基板部１４の縁部より内側で、ベースシャーシ５０の背面側（図５では、下側）に、取り付け部材ＦＴ（例えば、ネジ）により取り付けられている。また、接続部ＸＴＣ３、ＹＣＴ３は、図示しないコネクタ等によりドライバＸＤＲＶ、ＹＤＲＶに接続される。【００３７】
図６は、図４に示したＹドライバＹＤＲＶが配置された側から見た第２方向Ｄ２に沿うＰＤＰ装置の側面の概要を示している。図中の矢印の意味は、上述した図２と同じである。なお、図６は、上述した図１に示した光学フィルタ２０、前筐体３０、後筐体４０、図４に示したＹ電極用フレキシブルケーブルＹＦＣ等の記載を省略している。【００３８】
前面基板部１２の縁部付近まで引き出されたアドレス電極ＡＥの端部である接続部ＡＣＴ１は、アドレス電極用フレキシブルケーブルＡＦＣの一端に設けられた接続部ＡＣＴ２に接続されている。そして、アドレス電極用フレキシブルケーブルＡＦＣの他端に設けられた接続部ＡＣＴ３は、アドレス電極用フレキシブルケーブルＡＦＣを折り返すことなく、ＰＤＰ１０の外周より内側でアドレスドライバＡＤＲＶに接続されている。すなわち、アドレス電極用フレキシブルケーブルＡＦＣは、背面基板部１４の角で折り返されることなく、アドレスドライバＡＤＲＶに接続される。このため、この実施形態では、背面基板部１４の角でアドレス電極用フレキシブルケーブルＡＦＣが断線することを防止するための断線防止材等（例えば、後述する図９に示す断線防止材ＤＣＰ）を設ける必要がない。この結果、この実施形態では、ＰＤＰ装置の製造コストを低減できる。【００３９】
また、この実施形態では、アドレス電極用フレキシブルケーブルＡＦＣがＵ字状に折り返されないため、接続部ＡＣＴ１と接続部ＡＣＴ２とが互いに離れる方向に働く力を小さくでき、接続部ＡＣＴ１と接続部ＡＣＴ２との接続が不安定（非接続状態）になることを防止できる。また、この実施形態では、アドレス電極用フレキシブルケーブルＡＦＣがＵ字状に折り返されないため、アドレス電極用フレキシブルケーブルＡＦＣの断線を防止できる。すなわち、この実施形態では、Ｘ電極ＸＥの接続部ＸＣＴ１とＸドライバＸＤＲＶとの間の断線を防止でき、ＰＤＰ装置の信頼性を向上できる。【００４０】
また、ＰＤＰ装置の大きさに着目した場合、この実施形態では、アドレス電極用フレキシブルケーブルＡＦＣをＵ字状に折り返すための厚さを確保する必要がないため、ＰＤＰ装置の第１方向Ｄ１に沿う縁部周辺の厚さを薄くできる。さらに、この実施形態では、アドレス電極用フレキシブルケーブルＡＦＣをＵ字状に折り返すためのスペースをＰＤＰ１０の外側に確保する必要がないため、ＰＤＰ装置のサイズ（例えば、ＰＤＰ装置の第２方向Ｄ２のサイズ）を小さくできる。すなわち、この実施形態では、ＰＤＰ装置のサイズを小さくできるため、上述した図１に示した筐体３０、４０等の製造コストを低減できる。【００４１】
なお、アドレスドライバＡＤＲＶは、背面基板部１４の縁部より内側で、ベースシャーシ５０の背面側（図６では、下側）に、取り付け部材ＦＴ（例えば、ネジ）により取り付けられている。また、接続部ＡＣＴ３は、図示しないコネクタ等によりアドレスドライバＡＤＲＶに接続される。【００４２】
図７は、上述した図５に示したＹ電極用フレキシブルケーブルＹＦＣとＹ電極ＹＥとの接続部周辺の第１方向Ｄ１に沿う断面の一例を示している。なお、図７は、上述した図２に示したバス電極Ｙｂが配置された位置の断面を示している。図中の矢印の意味は、上述した図２と同じである。【００４３】
Ｙ電極用フレキシブルケーブルＹＦＣは、上述した図４で説明したように、ベースフィルムＦＬ１、ベースフィルムＦＬ１上に形成された配線ＭＬ、接続部ＹＣＴ２（上述した図５に示した接続部ＹＣＴ３）以外の配線ＭＬを覆う保護フィルムＦＬ２を有している。Ｙ電極用フレキシブルケーブルＹＦＣの保護フィルムＦＬ２における接続部ＹＣＴ２側の端部は、接続部ＹＣＴ２をＹ電極用フレキシブルケーブルＹＦＣの外部に露出するために、接続部ＹＣＴ２より内側に位置している。また、Ｙ電極用フレキシブルケーブルＹＦＣは、上述した図５で説明したように、接続部ＹＣＴ２が設けられる端部を外側に向けて配置されている。【００４４】
また、誘電体層ＤＬ、保護層ＰＬおよびガラス基材ＲＳにおける接続部ＹＣＴ１側の縁部は、接続部ＹＣＴ１をＰＤＰ１０の外部に露出するために、接続部ＹＣＴ１より内側に位置している。そして、接続部ＹＣＴ１は、半田ＳＤ等により、接続部ＹＣＴ２に接続されている。なお、Ｘ電極用フレキシブルケーブルＸＦＣとＸ電極ＸＥとの接続部周辺の第１方向Ｄ１に沿う断面は、Ｙ電極用フレキシブルケーブルＹＦＣとＹ電極ＹＥとの接続部周辺の第１方向Ｄ１に沿う断面とほぼ同じである。【００４５】
また、アドレス電極用フレキシブルケーブルＡＦＣとアドレス電極ＡＥとの接続部周辺の第２方向Ｄ２に沿う断面は、Ｙ電極用フレキシブルケーブルＹＦＣとＹ電極ＹＥとの接続部周辺の第１方向Ｄ１に沿う断面とほぼ同じである。なお、アドレス電極ＡＥの接続部ＡＣＴ１が誘電体層ＤＬ上に形成されるため、保護層ＰＬおよびガラス基材ＲＳにおける接続部ＡＣＴ１側の縁部が、接続部ＡＣＴ１より内側に位置している。【００４６】
以上、この実施形態では、各フレキシブルケーブルＸＦＣ、ＹＦＣ、ＡＦＣの接続部ＸＣＴ３、ＹＣＴ３、ＡＣＴ３は、フレキシブルケーブルＸＦＣ、ＹＦＣ、ＡＦＣを折り返すことなく、各ドライバＸＤＲＶ、ＹＤＲＶ、ＡＤＲＶに接続されている。これにより、この実施形態では、各電極ＸＥ、ＹＥ、ＡＥの接続部ＸＣＴ１、ＹＣＴ１、ＡＣＴ１と各ドライバＸＤＲＶ、ＹＤＲＶ、ＡＤＲＶとの間の断線を防止でき、ＰＤＰ装置の信頼性を向上できる。さらに、この実施形態では、フレキシブルケーブルＸＦＣ、ＹＦＣ、ＡＦＣを折り返すための厚さやスペースを確保する必要がないため、ＰＤＰ装置の厚さを薄くでき、かつ、ＰＤＰ装置のサイズを小さくできる。すなわち、この実施形態では、薄型のＰＤＰ装置を提供できる。また、この実施形態では、ＰＤＰ１０に対するＰＤＰ装置のサイズを小さくできるため、製造コストを低減できる。【００４７】
なお、上述した実施形態では、１つの画素が、３つのセル（赤（Ｒ）、緑（Ｇ）、青（Ｂ））により構成される例について述べた。本発明はかかる実施形態に限定されるものではない。例えば、１つの画素を４つ以上のセルにより構成してもよい。あるいは、１つの画素が、赤（Ｒ）、緑（Ｇ）、青（Ｂ）以外の色を発生するセルにより構成されてもよく、１つの画素が、赤（Ｒ）、緑（Ｇ）、青（Ｂ）以外の色を発生するセルを含んでもよい。【００４８】
上述した実施形態では、第２方向Ｄ２が、第１方向Ｄ１に直交する例について述べた。本発明はかかる実施形態に限定されるものではない。例えば、第２方向Ｄ２は、第１方向Ｄ１と、ほぼ直角方向（例えば、９０度±５度）に交差してもよい。この場合にも、上述した実施形態と同様の効果を得ることができる。【００４９】
上述した実施形態では、ＹドライバＹＤＲＶがコネクタ等によりＹ電極用フレキシブルケーブルＹＦＣに接続される例について述べた。本発明はかかる実施形態に限定されるものではない。例えば、ＹドライバＹＤＲＶは、Ｙ電極用フレキシブルケーブルＹＦＣのベースフィルムＦＬ１上に、Ｙ電極用フレキシブルケーブルＹＦＣと一体に設けられてもよい。同様に、ドライバＸＤＲＶ、ＡＤＲＶは、フレキシブルケーブルＸＦＣ、ＡＦＣのベースフィルムＦＬ１上に、フレキシブルケーブルＸＦＣ、ＡＦＣと一体にそれぞれ設けられてもよい。【００５０】
この場合、ＰＤＰ装置は、例えば、ＹドライバＹＤＲＶとＹ電極用フレキシブルケーブルＹＦＣとが一体に設けられたフレキシブルプリント基板を有する。なお、フレキシブルプリント基板のＹドライバＹＤＲＶが設けられていない方の端部は、上述した図５に示したＹ電極用フレキシブルケーブルＹＦＣの接続部ＹＣＴ２が設けられる端部（フレキシブルケーブルの一端）である。そして、フレキシブルプリント基板のＹドライバＹＤＲＶとＹ電極用フレキシブルケーブルＹＦＣの配線ＭＬとの接続部は、図５に示したＹ電極用フレキシブルケーブルＹＦＣの接続部ＹＣＴ３に対応する。この場合にも、上述した実施形態と同様の効果を得ることができる。【００５１】
上述した実施形態では、アドレス電極ＡＥの接続部ＡＣＴ１が前面基板部１２の第１方向Ｄ１に沿う２つの縁部のうちの一方の縁部付近（上述した図６では、左側の外周部ＯＴ）に設けられる例について述べた。本発明はかかる実施形態に限定されるものではない。例えば、アドレス電極ＡＥの接続部ＡＣＴ１は、前面基板部１２の第１方向Ｄ１に沿う両方の縁部付近（図６の左右の外周部ＯＴ）に設けられてもよい。あるいは、一方の縁部付近に接続部ＡＣＴ１が設けられるアドレス電極ＡＥと、他方の縁部付近に接続部ＡＣＴ１が設けられるアドレス電極ＡＥとが混在していてもよい。この場合にも、上述した実施形態と同様の効果を得ることができる。【００５２】
上述した実施形態では、ＸドライバＸＤＲＶにより、電圧−Ｖｓ／２、Ｖｓ／２がＸ電極ＸＥに交互に印加される例について述べた。本発明はかかる実施形態に限定されるものではない。例えば、Ｘ電極ＸＥは、接地電圧ＧＮＤに維持されていてもよい。この場合、例えば、Ｙ電極ＹＥには、ＹドライバＹＤＲＶにより、サステイン期間に、電圧Ｖｓ、−Ｖｓが交互に印加される。Ｘ電極ＸＥが接地電圧ＧＮＤに維持されるＰＤＰ装置では、上述した図４に示した構成からＸドライバＸＤＲＶおよびＸ電極用フレキシブルケーブルＸＦＣを省くことができる。この場合、ＰＤＰ１０の接地線等からＸ電極ＸＥに接地電圧ＧＮＤが供給される。【００５３】
すなわち、ＰＤＰ装置は、電極ＸＥ、ＹＥの一方の電極である第１電極（例えば、Ｙ電極ＹＥ）を駆動する第１駆動回路（例えば、ＹドライバＹＤＲＶ）と、第１電極と第１駆動回路とを電気的に接続する第１フレキシブルケーブル（例えば、Ｙ電極用フレキシブルケーブルＹＦＣ）とを有している。なお、第１フレキシブルケーブル（例えば、Ｙ電極用フレキシブルケーブルＹＦＣ）は、上述した実施形態で説明したように、折り返されることなく、第１駆動回路（例えば、ＹドライバＹＤＲＶ）に接続されている。この場合にも、上述した実施形態と同様の効果を得ることができる。【００５４】
上述した実施形態では、アドレス電極ＡＥが前面基板部１２に設けられる例について述べた。本発明はかかる実施形態に限定されるものではない。例えば、図８に示すように、アドレス電極ＡＥは、背面基板部１４に設けられてもよい。図８は、上述した図２に示したＰＤＰ１０の変形例の一例を示している。図中の矢印の意味は、上述した図２と同じである。図８の構成では、第２方向Ｄ２に延在する複数のアドレス電極ＡＥは、ガラス基材ＲＳのガラス基材ＦＳに対向する面上に設けられ、誘電体層ＤＬ２に覆われている。そして、誘電体層ＤＬ２上には、隔壁ＢＲが形成されている。この場合、例えば、図９に示すように、アドレス電極用フレキシブルケーブルＡＦＣ２は、ＰＤＰ１０の外周より外側でＵ字状に折り返されて、アドレスドライバＡＤＲＶに接続される。【００５５】
図９は、図８に示したＰＤＰ１０を用いたＰＤＰ装置における第２方向Ｄ２に沿う側面の概要を示している。図中の矢印の意味は、上述した図２と同じである。なお、図９は、上述した図１に示した光学フィルタ２０、前筐体３０、後筐体４０、上述した図４に示したＹ電極用フレキシブルケーブルＹＦＣ等の記載を省略している。図９の構成は、アドレス電極ＡＥの端部周辺の構成を除いて、上述した図６と同じである。すなわち、フレキシブルケーブルＸＦＣ、ＹＦＣの周辺部の構成は、上述した図４、図５、図７と同じである。【００５６】
背面基板部１４の縁部付近（外周部ＯＴ）まで引き出されたアドレス電極ＡＥの端部である接続部ＡＣＴ４は、アドレス電極用フレキシブルケーブルＡＦＣ２の一端に設けられた接続部ＡＣＴ５に接続されている。なお、例えば、アドレス電極用フレキシブルケーブルＡＦＣ２は、アドレス電極ＡＥが背面基板部１４（より詳細には、ガラス基材ＲＳ上）に設けられているため、アドレス電極ＡＥに接続される方の端部をＰＤＰ１０の内周側に向けて配置されている。このため、アドレス電極用フレキシブルケーブルＡＦＣ２の他端に設けられた接続部ＡＣＴ３は、アドレス電極用フレキシブルケーブルＡＦＣ２をＰＤＰ１０の外周より外側でＵ字状に折り返して、アドレスドライバＡＤＲＶに接続される。【００５７】
また、アドレス電極用フレキシブルケーブルＡＦＣ２と背面基板部１４の側面との間には、背面基板部１４の角でアドレス電極用フレキシブルケーブルＡＦＣ２が断線することを防止するために、断線防止材ＤＣＰ（例えば、シリコン）が設けられている。なお、前面基板部１２における接続部ＡＣＴ４側の縁部は、接続部ＡＣＴ４をＰＤＰ１０の外部に露出するために、接続部ＡＣＴ４より内側に位置している。換言すれば、背面基板部１４における接続部ＡＣＴ４側の縁部は、前面基板部１２の縁部より外側に位置している。なお、背面基板部１４における接続部ＡＣＴ４が設けられない方の縁部は、前面基板部１２の縁部と同じ位置でもよい。【００５８】
図９（図８）の構成でも、例えば、各フレキシブルケーブルＸＦＣ、ＹＦＣの接続部ＸＣＴ３、ＹＣＴ３は、フレキシブルケーブルＸＦＣ、ＹＦＣを折り返すことなく、各ドライバＸＤＲＶ、ＹＤＲＶに接続されている。これにより、各電極ＸＥ、ＹＥの接続部ＸＣＴ１、ＹＣＴ１と各ドライバＸＤＲＶ、ＹＤＲＶとの間の断線が防止され、ＰＤＰ装置の信頼性は向上する。また、この場合でも、ＰＤＰ装置の第２方向Ｄ２に沿う縁部周辺の厚さを薄くでき、かつ、ＰＤＰ装置のサイズ（例えば、ＰＤＰ装置の第１方向Ｄ１のサイズ）を小さくできる。すなわち、この場合にも、上述した実施形態のアドレス電極用フレキシブルケーブルＡＦＣによる効果を除いて、上述した実施形態と同様の効果を得ることができる。【００５９】
以上、本発明について詳細に説明してきたが、上記の実施形態およびその変形例は発明の一例に過ぎず、本発明はこれに限定されるものではない。本発明を逸脱しない範囲で変形可能であることは明らかである。
【産業上の利用可能性】
【００６０】
本発明は、プラズマディスプレイ装置に適用できる。
【図１】
2009130742.tif 000003
【図２】
2009130742.tif 000004
【図３】
2009130742.tif 000005
【図４】
2009130742.tif 000006
【図５】
2009130742.tif 000007
【図６】
2009130742.tif 000008
【図７】
2009130742.tif 000009
【図８】
2009130742.tif 000010
【図９】
2009130742.tif 000011
【手続補正書】
【提出日】平成23年5月25日(2011.5.25)
【手続補正１】
【補正対象書類名】特許請求の範囲
【補正対象項目名】全文
【補正方法】変更
【補正の内容】
【特許請求の範囲】
【請求項１】
第１方向に延在する複数の第１および第２電極と、複数の前記第１および第２電極を覆う誘電体層と、前記誘電体層上に前記第１方向に交差する第２方向に延在するように配置した複数の第３電極とを有する第１基板と、放電空間を介して前記第１基板に対向する第２基板とを有するプラズマディスプレイパネルと、
前記第１電極に電圧を印加する第１駆動回路と、
一端が前記プラズマディスプレイパネルの外周の第１接続部で前記第１電極に接続された第１フレキシブルケーブルと、
前記第２電極に電圧を印加する第２駆動回路と、
一端が前記プラズマディスプレイパネルの外周の第２接続部で前記第２電極に接続された第２フレキシブルケーブルと、
前記第３電極に電圧を印加する第３駆動回路と、
一端が前記プラズマディスプレイパネルの外周の第３接続部で前記第３電極に接続された第３フレキシブルケーブルとを備え、
前記第２基板は、前記第１基板よりも前記第１方向における両端部が内側に位置し、前記第２方向における両端部の少なくとも一方が前記第１基板よりも内側に位置しており、
前記第１および第２接続部は、前記第１基板上の前記第１方向における前記第２基板の前記両端部各々の外側に位置し、前記第３接続部は、前記第１基板上の前記第２方向における前記第２基板の前記一方の側の端部の外側に位置しており、
前記第１、第２および第３フレキシブルケーブルの各々の他端は、前記第１、第２および第３フレキシブルケーブルを折り返すことなく、前記プラズマディスプレイの外周より内側で前記第１、第２および第３駆動回路の各々に接続されていることを特徴とするプラズマディスプレイ装置。
【請求項２】
請求項１記載のプラズマディスプレイ装置において、
前記第１基板の両端部においては、前記誘電体層は第１および第２接続部よりも内側に位置し、前記第１および第２電極を外部に露出することを特徴とするプラズマディスプレイ装置。
【請求項３】
請求項１または請求項２記載のプラズマディスプレイ装置において、
前記第３電極および前記誘電体層は、前記第３接続部を除く領域が保護層で覆われることを特徴とするプラズマディスプレイ装置。
【請求項４】
請求項１乃至請求項３の何れか1項に記載のプラズマディスプレイ装置において、
前記第１、第２および第３駆動回路の各々と前記第１、第２および第３フレキシブルケーブルの各々とが一体に設けられたフレキシブルプリント基板を備えていることを特徴とするプラズマディスプレイ装置。
【国際調査報告】
2009130742.tif 000012
2009130742.tif 000013
2009130742.tif 000014
2009130742.tif 000015